(57)【特許請求の範囲】
【請求項１】
試料極（Ｗｅ）と照合極（Ｒｅ）間の土壌抵抗（Ｒｓ）を求める場合、対極（Ｃｅ）と試料極（Ｗｅ）間に設定高周波の電流（Ｉａｃ′）を印加してこのときの交流電圧（Ｖａｃ）を測定し、この測定データの実部（Ｖａｃ′）と印加電流（Ｉａｃ′）により土壌抵抗Ｒｓ＝Ｖａｃ′／Ｉａｃ′を求め、次に、対極（Ｃｅ）と試料極（Ｗｅ）間にカソード電流（Ｉｄｃ′）を印加すると共に、更に対極（Ｃｅ）と試料極（Ｗｅ）間に設定した交流電流を連続的に印加し、このカソード電流（Ｉｄｃ′）を徐々に増加させ、このときの試料極（Ｗｅ）の照合極（Ｒｅ）に対するＯＮ電位（Ｖｄｃ′）が、ＩＲ降下分（Ｉｄｃ′・Ｒｓ）と、ＯＦＦ電位の設定値（Ｖｎｅｔ）の加算した値（Ｖｄｃ′＝Ｉｄｃ′・Ｒｓ＋Ｖｎｅｔ）となるように印加カソード電流（Ｉｄｃ′）を制御してＯＦＦ電位（Ｖｎｅｔ）を保持することにより、自然電位下及びカソード防食下での交流腐食度を測定する方法。
【請求項２】
試料極（Ｗｅ）と照合極（Ｒｅ）間の土壌抵抗（Ｒｓ）を求める場合、対極（Ｃｅ）と試料極（Ｗｅ）間に設定高周波の電流（Ｉａｃ′）を印加してこのときの交流電圧（Ｖａｃ）を測定し、この測定データの実部（Ｖａｃ′）と印加電流（Ｉａｃ′）により土壌抵抗Ｒｓ＝Ｖａｃ′／Ｉａｃ′を求める土壌抵抗測定手段と、対極（Ｃｅ）と試料極（Ｗｅ）間にカソード電流（Ｉｄｃ′）を印加すると共に、更に対極（Ｃｅ）と試料極（Ｗｅ）間に設定した交流電流を連続的に印加するカソード電流印加手段と、前記カソード電流印加手段によりカソード電流（Ｉｄｃ′）を徐々に増加させ、このときの試料極（Ｗｅ）の照合極（Ｒｅ）に対するＯＮ電位（Ｖｄｃ′）が、ＩＲ降下分（Ｉｄｃ′・Ｒｓ）と、ＯＦＦ電位の設定値（Ｖｎｅｔ）の加算した値（Ｖｄｃ′＝Ｉｄｃ′・Ｒｓ＋Ｖｎｅｔ）となるように印加カソード電流（Ｉｄｃ′）を制御してＯＦＦ電位（Ｖｎｅｔ）を保持するカソード電流制御手段と、から成る自然電位下及びカソード防食下での交流腐食度を測定する装置。
【発明の詳細な説明】
【０００１】
【発明の属する技術分野】
本発明は、自然電位下及びカソード防食下での交流腐食度の測定（評価）方法及びその装置に関する。
【０００２】
【従来の技術】
カソード防食とは、塗覆装を有するパイプラインに防食用の直流電流を常時通電しておくことにより、前記パイプラインの腐食が進行するのを防止する方法のことである。
【０００３】
図６にカソード防食システムを示す。この図６において、（１）はパイプライン、（２）は直流電源、（３）は陽極、（４）は犠牲陽極、（５）は土壌中における防食電流の流れの方向、（６）は試料極（プローブ）、（７）は照合極、（８）は電位計、（９）は電流計、（１０）はスイッチである。
【０００４】
上記各部から成る構成のカソード防食システムの場合、防食システムが機能しているか否か、及び腐食の進行度等を管理する上から、パイプライン（１）に近接して試料極（６）と照合極（７）を埋設しておき、この試料極（６）と照合極（７）及び試料極（６）とパイプライン（１）間を電気的に結線し、試料極（６）と照合極（７）間に電位計（８）を挿入し、パイプライン（１）と試料極（６）間に電流計（９）とスイッチ（１０）を挿入し、スイッチ（１０）をＯＦＦにすると試料極（６）と照合極（７）間に分極電位が得られるので、これを電位計（８）で測定し、又、この際、試料極（６）とパイプライン（１）間に出入りする電流を電流計（９）で測定することにより電流密度を得ることができるので、これらのデータを定期的に取得して評価を加えることにより、カソード防食システムが正常に機能しているか否かの判定を行ったり、腐食がどの程度進行しているか否かの判定を行ったりしている。
【０００５】
【発明が解決しようとする課題】
しかし、上記カソード防食システムの場合、直流電流による腐食度を測定するものであることから、パイプライン（１）に交流電流が重畳された場合の腐食度の測定はできない。又、パイプライン（１）及び試料極（６）、照合極（７）が埋設されている土壌抵抗は、天水の侵入、地下水の影響等により、変化していることが考えられるが、このような、土壌抵抗による影響には注意を払っていない。このため、交流電流が重畳された場合、及び土壌抵抗に変化があった場合には、正確なデータが得られないという問題がある。
【０００６】
本発明の目的は、カソード防食下において、パイプラインに交流電流が重量された状況下での腐食度を、その都度、土壌抵抗の変化を考慮しながらデータを取得して、正確な交流腐食度を評価するための方法とその装置を提供することである。
【０００７】
【課題を解決するための手段】
本発明に係る自然電位下及びカソード防食下における交流腐食度測定方法及びその装置は次のとおりである。
【０００８】
１．試料極（Ｗｅ）と照合極（Ｒｅ）間の土壌抵抗（Ｒｓ）を求める場合、対極（Ｃｅ）
と試料極（Ｗｅ）間に設定高周波の電流（Ｉａｃ′）を印加してこのときの交流電圧（Ｖａｃ）を測定し、この測定データの実部（Ｖａｃ′）と印加電流（Ｉａｃ′）により土壌抵抗Ｒｓ＝Ｖａｃ′／Ｉａｃ′を求め、次に、対極（Ｃｅ）と試料極（Ｗｅ）間にカード電流（Ｉｄｃ′）を印加すると共に、更に対極（Ｃｅ）と試料極（Ｗｅ）間に設定した交流電流を連続的に印加し、このカソード電流（Ｉｄｃ′）を徐々に増加させ、このときの試料極（Ｗｅ）の照合極（Ｒｅ）に対するＯＮ電位（Ｖｄｃ′）が、ＩＲ降下分（Ｉｄｃ′・Ｒｓ）と、ＯＦＦ電位の設定値（Ｖｎｅｔ）の加算した値（Ｖｄｃ′＝Ｉｄｃ′・Ｒｓ＋Ｖｎｅｔ）となるように印加カソード電流（Ｉｄｃ′）を制御してＯＦＦ電位（Ｖｎｅｔ）を保持することにより、自然電位下及びカソード防食下での交流腐食度を測定する方法。
【０００９】
２．試料極（Ｗｅ）と照合極（Ｒｅ）間の土壌抵抗（Ｒｓ）を求める場合、対極（Ｃｅ）と試料極（Ｗｅ）間に設定高周波の電流（Ｉａｃ′）を印加してこのときの交流電圧（Ｖａｃ）を測定し、この測定データの実部（Ｖａｃ′）と印加電流（Ｉａｃ′）により土壌抵抗Ｒｓ＝Ｖａｃ′／Ｉａｃ′を求める土壌抵抗測定手段と、対極（Ｃｅ）と試料極（Ｗｅ）間にカソード電流（Ｉｄｃ′）を印加すると共に、更に対極（Ｃｅ）と試料極（Ｗｅ）間に設定した交流電流を連続的に印加するカソード電流印加手段と、前記カソード電流印加手段によりカソード電流（Ｉｄｃ′）を徐々に増加させ、このときの試料極（Ｗｅ）の照合極（Ｒｅ）に対するＯＮ電位（Ｖｄｃ′）が、ＩＲ降下分（Ｉｄｃ′・Ｒｓ）と、ＯＦＦ電位の設定値（Ｖｎｅｔ）の加算した値（Ｖｄｃ′＝Ｉｄｃ′・Ｒｓ＋Ｖｎｅｔ）となるように印加カソード電流（Ｉｄｃ′）を制御してＯＦＦ電位（Ｖｎｅｔ）を保持するカソード電流制御手段と、から成る自然電位下及びカソード防食下での交流腐食度を測定する装置。
【００１０】
【発明の実施の形態】
【実施例】
図１は本発明に係る交流腐食度測定装置の全体、図２は回路構成を示すもので、２０は測定点、２１は交流腐食度を測定するための試料極、２２は前記試料極２１のＯＮ電位、ＯＦＦ電位を測定するときの基準となる照合極、２３は前記試料極２１にカソード電流と交流電流を印加するための対極、２４は前記試料極２１、照合極２２、対極２３が埋設されている土壌である。３０はＡ／Ｄ変換前置増幅部，Ａ／Ｄ変換部及びカソード電流と交流電流を発生する電流アンプ部であって、実施例は１〜１０チャンネルから成る。４０はＯＮ電位と交流電流の演算・通信制御部、４１は制御部４０と電流アンプ部３０の各チャンネルを夫々結ぶコネクター、５０は各チャンネル毎の測定条件、リアルタイムの測定値を表示する表示部、５１は表示部５０と制御部４０を結ぶコネクターである。
【００１１】
図２において、４０ａはＯＮ電位（Ｖｄｃ′）を制御する電流（Ｉｄｃ′）の制御部、４０ｂは正弦波交流信号を発生し、交流電流（Ｉａｃ）の制御部、４３は加算及び定電流出力部、４４は電流＿電圧変換，定電流制御部（電圧フォロアー）、４５は電流検出用基準抵抗、４６は電極電位検出部である。
【００１２】
次に、作動原理を図３、図４に基づいて説明する。
印加“ＯＮ”に指定された各チャンネルは、下記（１）〜（３）の項を定期的に補正作業を行う。すなわち、各試料チャンネルは設定された真のＯＦＦ電位（Ｖｎｅｔ）となるような直流電流（Ｉｄｃ′）によるカソード防食を行い、各チャンネル毎の設定交流電流（Ｉａｃ）を制御部４０から連続的に印加する。
【００１３】
（１）土壌抵抗測定手段により、試料極（Ｗｅ）と照合極（Ｒｅ）間の土壌抵抗（Ｒｓ）    を、対極（Ｃｅ）と試料極（Ｗｅ）間に設定高周波（例：１．０ｋＨｚ）の印加電流  （Ｉａｃ′）を印加して交流電圧（Ｖａｃ）を測定し、測定データの実部（Ｖａｃ′）    と印加電流（Ｉａｃ′）にてＲｓ＝Ｖａｃ′／Ｉａｃ′より求める。
【００１４】
（２）ＯＮ電位を制御する電流制御部２によりＯＮ電位制御電流（Ｉｄｃ′）を印加し、
（ａ）自然電位下の場合
カソード電流Ｉｄｃ′＝０．０００ｍＡとすることで自然電位下の状態となし、
（ｂ）カソード防食下の場合
カソード電流印加手段により、ＣｅとＷｅ間のカソード電流（Ｉｄｃ′）を徐々に増    減させ、その時のＯＮ電位（Ｖｄｃ′）がＩＲ降下分（Ｉｄｃ′・Ｒｓ）と真のＯＦ    Ｆ電位の設定値（Ｖｎｅｔ）の加算した電位（Ｖｄｃ′＝Ｉｄｃ′・Ｒｓ＋Ｖｎｅ      ｔ）となるようにカソード電流（Ｉｄｃ′）を制御する。
【００１５】
（３）次に、ＣｅとＷｅ間に交流電流印加手段により設定周波数（例：５０Ｈｚ）の設定    電流（Ｉａｃ）を連続的に印加する。
【００１６】
（４）次に、印加“ＯＮ”指定チャンネル１は１０分毎に印加中の交流電流（Ｉａｃ）を    測定し、１時間毎に印加“ＯＮ”指定の各チャンネルの積算電力量（ＷＨ）を計算す    る。
【００１７】
（５）次に、測定手段により、時々（設定時間隔毎に）上記（１）〜（３）の測定を行      い、カソード電流（Ｉｄｃ′）の補正を行う。
【００１８】
表１及び図５は、ＯＦＦ電位−１．０Ｖ、交流電流５０ｍＡｒｍｓ、５０Ｈｚで行った測定データである。
【００１９】
（以下余白）
0003632877.tif 000002
【００２０】
【発明の効果】
本発明は以上の如き方法と装置で、試料極と照合極間の土壌抵抗を補正することにより、正確なＯＦＦ電位を印加し、更にこの状態で試料極に交流電流を印加することにより、カソード防食下での交流腐食度を正確に測定することが可能である。
【図面の簡単な説明】
【図１】本発明に係る交流腐食度測定装置のブロック図。
【図２】本発明に係る交流腐食度測定装置の回路の説明図。
【図３】測定原理の説明図。
【図４】測定原理の説明図。
【図５】データの説明図。
【図６】カソード防食システムの説明図。
【符号の説明】
２０  測定点
２１  試料極
２２  照合極
２３  対極
３０  電流アンプ部
４０  制御部
５０  表示部
【図１】
0003632877.tif 000003
【図２】
0003632877.tif 000004
【図３】
0003632877.tif 000005
【図４】
0003632877.tif 000006
【図５】
0003632877.tif 000007
【図６】
0003632877.tif 000008